(57)【要約】【課題】再生音質を低下させることなく音孔を通過した水を振動板にかかり難くしてスピーカの性能を長期間維持することができる音声再生装置を提供する。【解決手段】音声出力装置(50)は振動板(5a)を有するスピーカ(5)とスピーカ(5)を内部に収納する筐体(3)とを備える。筐体(3)は外壁(2f)とこの外壁(2f)と間隙を有して内方側に設けられた内壁(2g)とを有する。内壁(2g)はその内面側にスピーカ(5)を支持すると共にスピーカ(5)から出力された音を通過させる開口部(2h)を有する。外壁(2f)は貫通孔(2a)が複数個集合形成されて開口部(2h)を通過した音を外部に放出する音孔群部(2b)を有する。内壁(2g)に直交する方向において、内壁(2g)の開口部(2h)側端部が振動板(5)の縁部(5M1)の一部を覆っている。【選択図】図５
2010081165.tif 000002
【特許請求の範囲】
【請求項１】
振動板を有するスピーカと、前記スピーカを内部に収納する筐体と、を備えた音声出力装置であって、
前記筐体は、外壁と、前記外壁と間隙を有して内方側に設けられた内壁と、を有し、
前記内壁は、その内面側に前記スピーカを支持すると共に前記スピーカから出力された音を通過させる開口部を有し、
前記外壁は、貫通孔が複数個集合形成されて前記開口部を通過した前記音を外部に放出する音孔群部を有し、
前記内壁の前記開口部側の端部が、前記内壁に直交する方向において、前記振動板の縁部の一部を覆っていることを特徴とする音声出力装置。
【請求項２】
前記スピーカは、当該音声出力装置に対して設定された使用姿勢における側面側に配置されており、前記内壁の前記開口部側の端部が覆う前記縁部の一部は前記振動板における天側であることを特徴とする請求項１記載の音声出力装置。
【請求項３】
前記スピーカは、当該音声出力装置に対して設定された使用姿勢における側面側に配置されており、前記外壁に直交する方向において、前記音孔群部の中心に対して前記振動板の中心が天側に偏倚していることを特徴とする請求項１記載の音声出力装置。
【請求項４】
前記スピーカは、前記振動板の縁部に連結されたエッジ部と前記エッジ部の縁部を支持するフレームとを有すると共に、当該音声出力装置に対して設定された使用姿勢における側面側に配置されており、
前記内壁に直交する方向において、前記エッジ部の地側の縁部よりも、前記開口部の地側の縁部の方がより地側にあることを特徴とする請求項１記載の音声出力装置。
【発明の詳細な説明】
【技術分野】
【０００１】
本発明は、音声出力装置に係り、外部から水がかかっても、筐体内部あるいは筐体内の部品収納室への水の侵入を防止して屋外や浴室内での使用に好適な及びその取り付け構造を備えた音声出力装置に関する。
【背景技術】
【０００２】
従来、屋外用や浴室用として防滴や防沫仕様にされると共に耐水性を有するスピーカを備えて非常時の警報，ラジオ放送やテレビ放送，あるいはメモリに記憶した音楽などの音声を放出する音声出力装置が知られている。
特に浴室用としては、放送に限らず、近年普及が著しい携帯音楽プレーヤを筐体内に収納可能とし、その収納した携帯音楽プレーヤからの音声出力をスピーカで再生できるようにした防沫仕様の音声出力装置も商品化されている。
【０００３】
このような音声出力装置は、雨水や浴室のシャワーの水がスピーカの放音孔から筐体内部あるいは筐体内の部品を収納した部品収納室に侵入するのを防止するために、筐体構造に工夫を施しているものが多い。
その具体的一例が特許文献１に記載されている。
特許文献１には、スピーカの音孔を通じて外部から侵入した水を２つの経路に分岐させて外部に排出させる流水路を備えた非常警報装置が記載されている。
【０００４】
【特許文献１】実開平７−２０６９５号公報
【発明の開示】
【発明が解決しようとする課題】
【０００５】
ところで、屋外や浴室内用途の音声出力装置のスピーカには、振動板として耐水性を有するものが使用されるが、汚れの付着や変質などの可能性を排除してスピーカの性能を長期的に維持するために、振動板には水ができるだけかからないことが望ましい。
【０００６】
特許文献１に開示された構造は、音孔を通過した水の排水については配慮されているものの、音孔を通じて振動板にかかる水については、段落番号００１５などに記載されているように、音は透過させるが雨水を透過させないプラスチックフィルムなどのシート材でスピーカ前面を閉塞するものである。
従って、この構造は、音声を外部に放出するもののその音質低下が懸念されるものであり、携帯音楽プレーヤの良質な音声を出力する装置には好適なものとは言えなかった。
【０００７】
そこで、本発明が解決しようとする課題は、再生音質を低下させることなく音孔を通過した水を振動板にかかり難くしてスピーカの性能を長期間維持することができる音声再生装置を提供することにある。
【課題を解決するための手段】
【０００８】
上記の課題を解決するために、本願発明は手段として次の１）〜４）の構成を有する。
１）  振動板（５ａ）を有するスピーカ（５）と、前記スピーカ（５）を内部に収納する筐体（３）と、を備えた音声出力装置であって、
前記筐体（３）は、外壁（２ｆ）と、前記外壁（２ｆ）と間隙を有して内方側に設けられた内壁（２ｇ）と、を有し、
前記内壁（２ｇ）は、その内面側に前記スピーカ（５）を支持すると共に前記スピーカ（５）から出力された音を通過させる開口部（２ｈ）を有し、
前記外壁（２ｆ）は、貫通孔（２ａ）が複数個集合形成されて前記開口部（２ｈ）を通過した前記音を外部に放出する音孔群部（２ｂ）を有し、
前記内壁（２ｇ）の前記開口部（２ｈ）側の端部が、前記内壁（２ｇ）に直交する方向において、前記振動板（５）の縁部（５Ｍ１）の一部を覆っていることを特徴とする音声出力装置（５０）である。
２）  前記スピーカ（５）は、当該音声出力装置（５０）に対して設定された使用姿勢における側面（２ｓ）側に配置されており、前記内壁（２ｇ）の前記開口部（２ｈ）の端部が覆う前記縁部（５Ｍ１）の一部は前記振動板（５）における天側であることを特徴とする１）に記載の音声出力装置（５０）である。
３）  前記スピーカ（５）は、当該音声出力装置（５０）に対して設定された使用姿勢における側面（２ｓ）側に配置されており、前記外壁（２ｆ）に直交する方向において、前記音孔群部（２ｂ）の中心に対して前記振動板（５）の中心が天側に偏倚していることを特徴とする１）に記載の音声出力装置（５０）である。
４）  前記スピーカ（５）は、前記振動板（５ａ）の縁部（５Ｍ１）に連結されたエッジ部（５ｂ）と前記エッジ部（５ｂ）の縁部（５Ｍ２）を支持するフレーム（５ｃ）とを有すると共に、当該音声出力装置（５０）に対して設定された使用姿勢における側面（５ｓ）側に配置されており、
前記内壁（２ｆ）に直交する方向において、前記エッジ部（５ｂ）の地側の縁部（５Ｍ２）よりも、前記開口部（２ｈ）の地側の縁部の方がより地側にあることを特徴とする１）に記載の音声出力装置（５０）である。
【発明の効果】
【０００９】
本発明によれば、再生音質を低下させることなく音孔を通過した水を振動板にかかり難くしてスピーカの性能を長期間維持することができる、という効果を奏する。
【発明を実施するための最良の形態】
【００１０】
本発明の実施の形態を、好ましい実施例により図１〜図８を用いて説明する。
【００１１】
図１及び図２に、本発明の音声出力装置の実施例の外観を示す。
この音声出力装置は、左右一対のスピーカを備えて浴室用に防沫仕様とされると共に携帯音楽プレーヤを収納可能とし、収納した携帯音楽プレーヤの音声出力端子から出力される音声信号を一対のスピーカでステレオ再生する音声出力装置５０である。
図１及び図２は、この音声出力装置５０の外観斜視図であり、図１は前面右上方から見た図であり、図２は後面右上方から見た図である。
【００１２】
音声出力装置５０は、前面側となる前筐体１と後面側となる後筐体２とが組み合わされて筐体３を有する。
前筐体１，後筐体２，及び中板（図示せず）は樹脂を射出成形して形成される。
ここで音声出力装置５０は、底面３ｂｔを地側にした姿勢で使用するように設定されている。
筐体３の全体形状としては、底面３ｂｔを床置きした際に、後面３ｂが床（底面３ｂｔ）に対してほぼ垂直となり、前面３ｆが天面３ｔに向かう後面３ｂに接近するように傾斜した箱状とされている。
【００１３】
後筐体２の左右の側面と天面とには外方向（Ｄ１方向）に回動可能とされた３つのロック片４が設けられている。
このロック片４を外方向に開くとロックが解除され、前筐体１と後筐体２とは分離面ＢＭにおいて分離する。
このロック片４を内方向に回動してロックすることで、前筐体１が後筐体２に固定される。
後筐体２は、外周壁部２ｆ及び内周壁部２ｇ（図３〜図６を参照）を有していわゆる二重壁構造とされており、内周壁部２ｇとこれを塞ぐ中板とにより、内部に部品などを収納した収納室が閉じた空間として形成されている。
【００１４】
前筐体１は枠状の基部１ａとその開口部を覆うように張られたシート１ｂとを有する。
シート１ｂは、透明または半透明の弾力性を有するシートであり、材料としてシリコンシートなどが用いられる。
このシート１ｂは、中板を覆うに充分な大きさで形成され、中板は、ロック状態においてシート１ｂと近接対向するように配設される。
また、ロック状態において、シート１ｂが中板と内周壁部２ｇとを跨るように覆って収納室内に水が浸入するのを防止するよう構成されている。
【００１５】
後筐体２は、前面側が開放した箱状であり、その左右の側面２ｓそれぞれの底面２ｂｔ側には、小径の貫通孔である音孔２ａが複数個集合して概ね円形の領域を占める音孔群２ｂ（以下、音孔群部２ｂｂとも称する）が形成されている。この一対の音孔群２ｂの内方側にはそれぞれスピーカ５が配設されている。
【００１６】
後筐体２の後面２ｂｃにおけるほぼ中央部には、ネジまたは鍔係合により着脱自在とされた円形の電池蓋２ｃが取り付けられている。この鍔係合は、カメラの交換式レンズにおけるいわゆるバヨネット構造に相当するものである。
この電池蓋２ｃを外すと、後面２ｂｃに対して凹として設けられた電池収納室２ｄ（後述する図３などに記載）が開放され、その電池収納室２ｄ内に装着されこの装置を駆動するための電池をユーザが交換することができる。
電池蓋２ｃと後筐体２との間にはシールリングが配設され、電池蓋２ｃが装着された状態において、両者の隙間から水が内部に侵入することはない。
【００１７】
後筐体２の後面２ｂの右上部には、図示しない電気回路と接続され電源の入り切りと音量調節とを兼用するノブ２ｐが配設されている。
【００１８】
中板とシート１ｂとの間には、携帯音楽プレーヤの出力端子に接続するプラグを先端に備えた接続ケーブル（図示せず）が配設される。
また、中板にはその接続ケーブルを嵌め込むことができる凹部が形成されている。
接続ケーブルの他端側は音量を調節する電気回路を経てスピーカ５に接続されている。
【００１９】
上述の構成を有する音声再生装置５０に対して携帯音楽プレーヤを収納する場合には、まず、ロック片４を開いてロックを解除し、後筐体２と前筐体１とを分離する。
次に、接続ケーブルを携帯音楽プレーヤの出力端子に接続し、その携帯音楽プレーヤを中板とシート１ｂとの間に位置させ、シート１ｂを携帯音楽プレーヤ上に被せるようにして前筐体１を後筐体２に嵌め込み、ロック片４を閉じ方向に回動してロックする。
このロックにより、携帯音楽プレーヤの厚さ分シート１ｂが弾性変形し、その反発力により携帯音楽プレーヤはシート１ｂと中板との間に挟持される。
【００２０】
この状態で、ユーザは、携帯音楽プレーヤの画面を、シート１ｂを通して外部から視認でき、表面に配置された押しボタンなどの入力子をシート１ｂを介して操作することができる。
従って、携帯音楽プレーヤに対するシート１ｂを介した外部からの操作により、携帯音楽プレーヤに格納された音声コンテンツをスピーカ５から再生することができる。
【００２１】
次に、スピーカ５の取り付け構造について詳述する。
【００２２】
図３は、後筐体２の部品図である。
図３（ａ）はその内面側の平面図、図３（ｂ）は左側面図、図３（ｃ）は右側面図、図３（ｄ）は天面図、図３（ｅ）は底面図、図３（ｆ）は背面（外面側）図である。
また、図４は、後筐体２，スピーカ５，及び後筐体２とスピーカ５との間に装着されるスペーサ６とを示した斜視図である。
【００２３】
図３及び図４に示すように、後筐体２は、後壁部２ｅと、その周囲となる縁部に沿って立設する外周壁部２ｆと、後壁部２ｅにおける外周壁部２ｆの内側にその外周壁部２ｆに概ね平行に立設する内周壁部２ｇと、を有している。
従って、この後筐体２は、周壁について概ね２重の構造を有している。
【００２４】
また、後壁部２ｅの中央部には、電池収納室２ｄを形成する電池収納壁２ｄ１が外周壁部２ｆ及び内周壁部２ｇと同じ方向に突出している。この突出範囲については図３（ａ）に斜線部で示している。
電池収納壁２ｄ１は、この音声出力装置５０において、単３型の乾電池を天地方向の姿勢で４本並列配置した空間とその左右に設けられ指が挿入される空間とを含む電池収納室２ｄを有するよう設けられている。
【００２５】
また、音孔群部２ｂｂは外周壁部２ｆに形成され、その内周壁部２ｇには音孔群部２ｂｂに対応して開口部２ｈが形成されている（図５参照）。
また、内周壁部２ｇにおける開口部２ｈの上下（図３の上下方向）両側には、内方に突出するリブ２ｊ，２ｋがそれぞれ形成されている。
【００２６】
図４において、スピーカ５は扁平の円板状を呈している。
また、スペーサ６は、スピーカ５の前面の外径よりも僅かに小さい径の開口部６ａと、スピーカ５の外径より僅かに大きい内径を有してリング状に突出した突出部６ｂ（図５，図６参照）と、を有する矩形形状に、樹脂の射出成形により形成される。
【００２７】
図５及び図６を用いてさらに詳細を説明する。
図５は、図３におけるＡ部を拡大した図であり、後筐体２にスペーサ６及びスピーカ５を取り付けた状態の部分断面図である。Ａ部は左右対称形状である。
図６は、図５の状態をやや外側から見た斜視的部分断面図である。
図５及び図６においては、理解容易のためスペーサ６についてハッチングを付してある。
また、スピーカ５については、その構成のうちの振動板５ａと振動板５ａの周囲である縁部５Ｍ１に連結されたエッジ部５ｂとエッジ部５ｂの周囲である縁部５Ｍ２を支持するフレーム５ｃとを示しており、フレーム５ｃについてはクロスハッチングを付してある。
【００２８】
図５において、リブ２ｊ，２ｋは、それぞれの内面から互いに接近する方向に突出する補助リブ２ｊ１，２ｋ１を有している。
スペーサ６は、その両側端部６ｃが補助リブ２ｊ１，２ｋ１と内周壁部２ｇとの間に挟み込まれるように装着される。この装着においては、接着剤などを併用して強固に固定してもよい。
スピーカ５は、スペーサ６の突出部６ｂの内面側に嵌合し、接着剤などにより固定される。
上述の構成はスペーサ６を用いる例であるが、スペーサ６を用いなくてもよい。
内周壁部２ｇの内面に直接スピーカ５を装着してもよい。装着方法は限定されない。装着方法例としては、接着剤で固定する、リブ２ｊ,２ｋをスピーカの外形と嵌合するように形成して嵌合固定する、などがある。
【００２９】
また、外周壁部２ｆと内周壁部２ｇとを連結する連結リブ２ｍ，２ｎが、音孔群２ｂの上下にそれぞれ設けられている。
従って、外周壁部２ｆ，内周壁部２ｇ，及び連結リブ２ｍ，２ｎにより空間ＳＰが形成されると共に、スピーカ５が内周壁部２ｇの内側面に取り付けられて音孔群部２ｂｂからある程度距離が離れた位置にあるので、音孔群部２ｂｂから侵入した雨やシャワーなどの水やその飛沫が振動板５ａにかかり難くなっている。
【００３０】
また、連結リブ２ｎの上方側の面２ｎ１は、奥側から手前側に向かって低くなる傾斜面とされている。また、連結リブ２ｎは、手前先端が外周壁部２ｇより低く設けられ、さらに底面部へ通じる連通路が形成されている。
従って、音孔群部２ｂｂから侵入した水は、この空間ＳＰの下方の面２ｎ１に集まり、面２ｎ１上をその傾斜に沿って流れ、連通路を経て底面側へ排出される構造となっている。
すなわち、この空間ＳＰに水が溜まることはない。
【００３１】
ここで、音孔群２ｂの占める領域である音孔群部２ｂｂの、外周壁部２ｆに直交する中心線ＣＬ１からリブ２ｊ，２ｋの内面までの距離Ｈ２ｊ，Ｈ２ｋが不等に形成されている。
具体的には、Ｈ２ｊ＞Ｈ２ｋとなっている。
一方、内周壁部２ｇの開口部２ｈは、内周壁部２ｇに直交する中心線ＣＬ１を中心とした円形に形成されている。
また、スペーサ６は、その両側端部６ｃから、装着したスピーカ５の中心線ＣＬ２までの距離Ｈ５が等しくなるように、図５において上下対称に形成されている。
従って、この実施例において、音孔群部２ｂｂの中心線ＣＬ１に対してスピーカ５の中心線ＣＬ２は、上方にΔＨ＝Ｈ２ｊ−Ｈ５だけずれて設定されている。
これにより、使用状態の姿勢において、音孔群部２ｂｂを通過して外部から侵入した雨やシャワーなどの水やその飛沫が、振動板５ａにかかり難くなっている。
【００３２】
また、中心線ＣＬ２の左方から振動板５ａ方向を見たときに、振動板５ａの、エッジ部５ｂと連結した縁部５Ｍ１における上方側の一部分が内周壁部２ｇにおける開口部２ｈ側の端部により覆われている。
これにより、音孔群部２ｂｂを通過して外部から侵入した雨やシャワーなどの水やその飛沫などが振動板５ａに向けて飛散した場合にも、振動板５ａに対して部分的に張り出した内周壁部２ｇの開口部２ｈ側端部により排除されて振動板５ａに水やその飛沫がかかり難くなっている。
【００３３】
また、スピーカ５のフレーム５ｃの内側端部位置Ｂ１と、スペーサ６の開口部６ａの内側端部位置Ｂ２と、内周壁部２ｇにおける開口部２ｈの内側端部位置Ｂ３とは、Ｂ１、Ｂ２，Ｂ３の順に底面（通常設置状態の地面）に近くなっている。
従って、仮に振動板５ａに水や飛沫がかかり振動板５ａを伝って下方へ流れても、フレーム５ｃ、スペーサ６、そして開口部２ｈを経てほとんどが空間ＳＰに流れ出るので、少なくともスペーサ６と振動板５ａとの間で、振動板５ａの一部が浸るような水溜まりが生じることはない。
【００３４】
上述したスピーカの取り付け構造によれば、振動板５ａに音孔群部２ｂｂを通過した水がかかり難く、またその飛沫もかかり難く、かかった水が振動板５ａの下部にその一部が浸るように溜まることがないので、振動板５ａの品質や性能が長期に渡り維持される。
また、この構造においては、振動板５ａの前方（放音方向）がシートで閉塞されてなく、外部と空気が連通しているので、音質を低下させることがない。
【００３５】
このスピーカ取り付け構造によれば、次に説明する理由により、外形サイズに対して比較的大きな径のスピーカを取り付けることができる。
すなわち、実施例の音声出力装置５０は、周壁部を外周壁部２ｆと内周壁部２ｇとの２重構造にしているため、内周壁部２ｇの開口部２ｈは、いわゆる内スライド構造の金型で成形しなければならない。
これに対し、音声出力装置５０は市場要望により全体形状を小型化しているので、電池収納室が大きなスペースを占めるようになっており、内スライドの駒の配置スペースが限られ大きな開口とするには限界がある。
【００３６】
図５を用いて具体的に説明すると、開口部２ｈを形成するための内スライドの駒の移動範囲を含めて配置できるエリアは、一点鎖線７ａ，７ｂで囲まれた範囲に限られる。Ｄｓは駒のスライド方向を示す。
従って、開口部２ｈの端面は、駒のスライド方向Ｄｓが水平方向に対してなす角度θだけ傾斜して形成される。
【００３７】
実施例のスピーカ取り付け構造によれば、このような制約の中、開口部２ｈの中心線ＣＬ１に対してスピーカ５の中心線（駆動軸線）ＣＬ２を上方にずらし、スピーカ５の下端を開口部２ｈの下端とほぼ同じ位置にすることで、水を振動板５ａの下部に溜めることなく、開口部２ｈの径φｈに対してはるかに大きな径のスピーカ５を配設することが可能になっている。
従って、実施例の音声出力装置５０は、本体形状サイズが小型であるにもかかわらず比較的大きな口径のスピーカを採用することができ、優れた音質の再生音をユーザに提供することができる。
【００３８】
繰り返しになるが、実施例においては、内周壁部２ｇに直交する中心線ＣＬ２の左方から振動板５ａ方向を見たときに、振動板５ａの、エッジ部５ｂと連結した縁部５Ｍ１における上方側の一部分が内周壁部２ｇの開口部２ｈ側の端部により覆われている。
これについて図７を用いて詳述する。
【００３９】
図７は、中心線ＣＬ２の左方から振動板５ａを見た模式図である。
振動板５ａの、エッジ部５ｂと連結した縁部５Ｍ１における上方側の一部分が、開口部２ｈの開口周縁の内周壁部２ｇにより覆われている状態を示している。
図７（ａ）は、開口部２ｈを真円とした場合を示し、図７（ｂ）は、開口部２ｈを、下側が円弧で上側がそれより大きい曲率の円弧とした場合を示し、図７（ｃ）は、開口部２ｈを、下側が円弧で上側が弦とされた場合を示している。
【００４０】
また、上述の、スピーカ５のフレーム５ｃの内側端部位置Ｂ１と、スペーサ６の開口部６ａの内側端部位置Ｂ２と、内周壁部２ｇにおける開口部２ｈの内側端部位置Ｂ３とは、Ｂ１、Ｂ２，Ｂ３の順に底面（通常設置状態の地面）に近くなっている点について、図７を用いて説明する。図７はスペーサ６を省略した状態を示している。
この図７において、フレーム５ｃの内側端部位置Ｂ１よりも開口部２ｈの内側端部位置Ｂ３の方が、底面側（地側）になっていることがわかる。
【００４１】
これらは一例であり開口部２ｈの形状は図７（ａ）〜（ｃ）に示される形状に限定されるものではない。
また、振動板５ａは真円でなくてもよく、他の形状、例えば楕円や長丸形状であってもよい。
【００４２】
本発明の実施例は、上述した構成及び手順に限定されるものではなく、本発明の要旨を逸脱しない範囲において変形例としてもよいのは言うまでもない。
内周壁部２ｇの開口部２ｈの形状は、真円に限るものではない。
図８（ａ）に示すような上下につぶれた楕円、図８（ｂ）で示すような下側が円弧で上側がそれより曲率の大きい円弧または曲線、図８（ｃ）で示すような、円の上側が弦とされているもの、などとしてもよい。
真円でない場合の中心線ＣＬ２として、上下端の中央を通る線ＣＬ２ａを適用することができる。
いずれにおいても、上下方向の開口距離ｈｖよりスピーカ５の少なくともフレーム５ｃの内径が大きくなっている。
【図面の簡単な説明】
【００４３】
【図１】本発明の音声出力装置の実施例を示す一の方向から見た外観斜視図である。
【図２】本発明の音声出力装置の実施例を示す別の方向から見た外観斜視図である。
【図３】本発明の音声出力装置の実施例における後筐体を説明するための図である。
【図４】本発明の音声出力装置の実施例における後筐体とスペーサとスピーカとを説明するための斜視図である。
【図５】本発明のスピーカの取り付け構造の実施例における要部を説明するための拡大部分断面図である。
【図６】本発明のスピーカの取り付け構造の実施例における要部を説明するための他の拡大部分断面図である。
【図７】本発明のスピーカの取り付け構造の実施例における要部の変形例を説明するための図である。
【図８】本発明のスピーカの取り付け構造の実施例における要部の変形例を説明するための他の図である。
【符号の説明】
【００４４】
１  前筐体
１ａ  基部
１ｂ  シート
２  後筐体
２ａ  音孔
２ｂ  音孔群
２ｂｃ  後面
２ｃ  電池蓋
２ｄ  電池収納室
２ｄ１  電池収納壁
２ｅ  後壁部
２ｆ  外周壁部
２ｇ  内周壁部
２ｈ  開口部
２ｊ，２ｋ  リブ
２ｊ１，２ｋ１  補助リブ
２ｍ，２ｎ  連結リブ
２ｐ  ノブ
２ｓ  側面
２ｂｔ  底面
３  筐体
３ｂ  後面
３ｂｔ  底面
３ｆ  前面
３ｔ  天面
４  ロック片
５  スピーカ
５ａ  振動板
５ｂ  エッジ
５ｃ  フレーム
５Ｍ１，５Ｍ２  縁部
６  スペーサ
６ａ  開口部
６ｂ  突出部
６ｃ  両側端部
５０  音声出力装置
ＢＭ  分離面
【図１】
2010081165.tif 000003
【図２】
2010081165.tif 000004
【図３】
2010081165.tif 000005
【図４】
2010081165.tif 000006
【図５】
2010081165.tif 000007
【図６】
2010081165.tif 000008
【図７】
2010081165.tif 000009
【図８】
2010081165.tif 000010